【事件の表示】
　特願２００１−３４４８５０号「磁気治療具」拒絶査定不服審判事件〔平成１４年　６月２５日出願公開、特開２００２−１７７４０３号〕について、次のとおり審決する。
【結　論】
　本件審判の請求は、成り立たない。
【理　由】
　
Ｉ．手続の経緯
　本願は、平成１１年２月２４日に出願した特願平１１−４６５９５号の一部を平成１３年１１月９日に新たな特許出願としたものであって、平成１８年４月２４日付けで拒絶査定がなされ、これに対し、同年６月１日に拒絶査定不服審判の請求がなされるとともに、同年６月２９日付けで手続補正がなされたものである。
　
II．平成１８年６月２９日付けの手続補正についての補正却下の決定
［補正却下の決定の結論］
　平成１８年６月２９日付けの手続補正（以下、「本件補正」という。）を却下する。
　
［理由］
１．補正後の本願発明
　本件補正により、特許請求の範囲の請求項１は、次のように補正された。
「
肩こりの治療に用いられる磁気治療具であって、
　
２．補正の目的の適否
　本件補正は、請求項１に記載した発明を特定するために必要な事項である「磁気治療具」の用途を限定するために、「肩こりの治療に用いられる磁気治療具であって、」との限定を付加するものであり、かつ、補正後の請求項１に記載された発明は、補正前の請求項１に記載された発明と、産業上の利用分野及び解決しようとする課題が同一であるので、本件補正は、平成１８年改正前特許法第１７条の２第４項第２号の特許請求の範囲の減縮を目的とするものに該当する。
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
３−１．引用例の記載事項
　原査定の拒絶の理由に引用された、実願昭５７−９４５３９号（実開昭５９−１１６０３５号）のマイクロフィルム（以下、「引用例」という）には、図面と共に次の事項が記載されている。
　
ａ．「１．考案の名称　磁気健康肌衣及び帽子」（明細書第１頁第２行）
　
ｂ．「（イ）磁石（１）のＮを皮膚側に向けて、ワイシャツの襟、肩（２）背中と腰等のつぼに付ける（３）磁気を衣類に付ける。仕事中に常に刺激を与えて、体中の血液をよく循環させ、体を疲れさせない。」（明細書第１頁第１７行〜第２頁第１行）
　
ｃ．第２図には、肩、背中及び腰の背後に沿って複数個の磁石を取り付けた肌衣（ワイシャツ）が図示されている。
　
　上記記載事項及び図示内容を総合し、本願補正発明の記載ぶりに則って整理すると、引用例には、次の発明（以下、「引用発明」という。）が記載されている。
　「身体の上半身に（胴部から腰にわたって）装着するワイシャツを備え、前記ワイシャツに、肩、背中及び腰の少なくとも背後に添わせる複数個の磁石を取り付けた磁気健康肌衣。」
　
３−２．対比
　本願補正発明と引用発明とを対比すると、引用発明の「磁石」、「磁気健康肌衣」はそれぞれ本願補正発明の「永久磁石」、「磁気治療具」に相当し、引用発明の「ワイシャツ」と本願補正発明の「タンクトップ」及び「腰ベルト」は共に身体に装着するものであるから、「衣類」という概念で共通している。そこで、本願補正発明の用語を用いて表現すると、両者は次の点で一致する。
（一致点）
「身体の胴部から腰にわたって装着する衣類を備え、前記衣類に、肩及び背中に添わせる複数個の永久磁石を取り付けると共に、腰の少なくとも背後に添わせる複数個の永久磁石を取り付けた磁気治療具。」
　
　そして、両者は次の相違点１〜３で相違する。
（相違点１）
　肩、背中及び腰の少なくとも背後に添わせる複数個の永久磁石を取り付ける衣類として、本願補正発明は、「タンクトップ」及び「腰ベルト」を用いたのに対し、引用発明は、「ワイシャツ」を用いた点。
　
（相違点２）
　取り付ける複数個の永久磁石について、本願補正発明は、隣り合う永久磁石の身体に添わせる面の極性が、互いに逆極性であるのに対し、引用発明は、そのような構成ではない点。
　
（相違点３）
　本願補正発明は、肩こりの治療に用いられるのに対し、引用発明は、治療用途については明らかでない点。
　
３−３．相違点の判断
　上記相違点について検討する。
（相違点１について）
　一般に、タンクトップや腰ベルトに永久磁石を取り付けて、肩こりなどの症状を防止する点は、従来周知［例えば、登録実用新案第３０１７８１８号公報（タンクトップＡ及びベルトＧ参照）、登録実用新案第３０３９０７５号公報（図２(ａ）のタンクトップ参照）、実願昭５４−０９６８５４号（実開昭５６−１６４４７号）のマイクロフィルム（タンクトップ形状の下着参照）、実願平５−６１４４９号（実開平７−２４３４３号）のＣＤ−ＲＯＭ（磁気腹巻参照）、実願昭５５−１２９８３６号（実開昭５７−５４４５３号）のマイクロフィルム（人体腰部に巻着する磁気治療用マグネツト付きアンダーベルト参照）、実願平３−７６９９２号（実開平５−２０７５７号）のＣＤ−ＲＯＭ（腰部に装着する磁気治療用のマグネット４付き医療ベルト参照）、等参照］であるから、肩及び背中、腰の少なくとも背後に添わせる複数個の永久磁石を取り付ける衣類として、引用発明の「ワイシャツ」の代わりに、本願補正発明の如く「タンクトップ」及び「腰ベルト」を用いることは、当業者であれば容易になし得たことである。
　
（相違点２について）
　磁気治療具において、複数個の永久磁石について、隣り合う永久磁石の身体に添わせる面の極性が、互いに逆極性であるように構成することは、従来周知［例えば、特開昭５４−１１５５９４号公報（ベルト状のバンド本体に取り付ける磁石について、互いに隣接する磁石７の対応する極性が異極となるように取り付けた点（第６図）参照）、特開昭６３−２９０５８３号公報（身体に密接するようにシート状基材にＮ、Ｓ極交互に所定間隔で多数取付けた釦状磁石小片を備えた磁気治療器参照）、特開平３−２６７０７３号公報（隣り合う磁極が互いに異極となるように着磁して成る、磁気治療用マット等に用いる多極マグネット参照）、等参照］であるから、衣類に取り付ける肩及び背中、腰の少なくとも背後に添わせる複数個の永久磁石について、本願補正発明の如く隣り合う永久磁石の身体に添わせる面の極性が、互いに逆極性にすることは、当業者であれば容易に想到し得たことである。　
　
（相違点３について）
　上記３−１．引用例の記載事項より、引用発明の磁気健康肌着も、肩や背中、腰のつぼに磁石を配置し、「体中の血液をよく循環させ、体を疲れさせない」ようにしたものであるから、肩こりの治療にも効果があるものと解される。しかも、肩こりを予防するための、永久磁石を取り付けたタンクトップや下着などの磁気健康被服は、従来周知［例えば、登録実用新案第３０１７８１８号公報（タンクトップＡ参照）、登録実用新案第３０３９０７５号公報（図２(ａ）のタンクトップ参照）、実願昭５４−０９６８５４号（実開昭５６−１６４４７号）のマイクロフィルム（タンクトップ形状の下着参照）、等参照］であるから、引用発明を肩こりの治療に用いることは、当業者であれば必要に応じて適宜なし得たことである。
　
　そして、本願補正発明による効果も、引用発明及び周知技術から当業者が予測し得た程度のものであって、格別のものとはいえない。
　
　したがって、本願補正発明は、引用発明及び周知技術に基いて、当業者が容易に発明をすることができたものであるので、特許法第２９条第２項の規定により、特許出願の際独立して特許を受けることができない。
　
３−４．むすび
　したがって、本件補正は、平成１８年改正前特許法第１７条の２第５項において準用する同法第１２６条第５項の規定に適合しないので、特許法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、拒絶査定時の特許請求の範囲の請求項１に記載された事項により特定される、以下のとおりのものである。
　
「身体の胴部に装着するタンクトップと、腰に巻き付ける腰ベルトとを備え、前記タンクトップに、肩及び背中に添わせる複数個の永久磁石を取り付け、前記腰ベルトに、腰の少なくとも背後に添わせる複数個の永久磁石を取り付け、隣り合う永久磁石の身体に添わせる面の極性が、互いに逆極性であることを特徴とする磁気治療具。」
　
IV．引用例の記載事項
　原査定の拒絶の理由に引用された引用例、及びその記載事項は、前記II．３−１に記載したとおりである。
　
Ｖ．対比・判断
　本願発明は、前記II．１の本願補正発明から、「肩こりの治療に用いられる磁気治療具であって」との発明特定事項を省いたものである。
　そうすると、本願発明の発明特定事項をすべて含み、さらに他の発明特定事項を付加したものに相当する本願補正発明が、前記II．３−２、３−３に記載したとおり、引用発明及び周知技術に基いて、当業者が容易に発明をすることができたものであるから、本願発明も、同様に、引用発明及び周知技術に基いて、当業者が容易に発明をすることができたものである。
　
VI．むすび
　以上のとおり、本願発明は、引用発明及び周知技術に基いて、当業者が容易に発明をすることができたものであるから、特許法第２９条第２項の規定により、特許を受けることができない。
　よって、結論のとおり審決する。